【手続補正書】
【提出日】平成20年11月19日(2008.11.19)
【手続補正１】
【補正対象書類名】特許請求の範囲
【補正対象項目名】全文
【補正方法】変更
【補正の内容】
【特許請求の範囲】
【請求項１】
膝関節用プロテーゼデバイスであって、
上面と、下面と、湾曲側縁部が間に延在する頂部と下部とを有する大腿顆構成要素と、
前記プロテーゼデバイスの前記頂部に沿った滑車溝構成要素と
を含み、
前記大腿顆構成要素の前記下部が、前記関節表面上の分界溝の前で終端する
プロテーゼデバイス。
【請求項２】
前記デバイスが、患者の軟骨欠陥部によって決まる厚みを有する、請求項１に記載のプロテーゼデバイス。
【請求項３】
前記デバイスが、患者の軟骨欠陥部の約８５％の厚みを有する、請求項１に記載のプロテーゼデバイス。
【請求項４】
前記デバイスが、患者の軟骨欠陥部の６５％と１００％の間の厚みを有する、請求項１に記載のプロテーゼデバイス。
【請求項５】
前記デバイスが、所定の偏位値を加えた患者の軟骨欠陥部の厚みを有する、請求項１に記載のプロテーゼデバイス。
【請求項６】
前記デバイスが、金属または金属合金を含む材料で構成される、請求項１に記載のプロテーゼデバイス。
【請求項７】
少なくとも１つの表面に装着用構造体を更に有する、請求項１に記載のプロテーゼデバイス。
【請求項８】
前記装着用構造体が、綾と、小杭と、ピンと、横材と、十字形ステムと、歯と、突出部とから選択される、請求項７に記載のプロテーゼデバイス。
【請求項９】
前記インプラントが、内側または外側のうちの一方の前記上面から延在するレールを更に含む、請求項１に記載のプロテーゼデバイス。
【請求項１０】
前記インプラントが、前記上面から延在する竜骨を更に含み、前記竜骨が、前記内側および外側から陥凹した位置内にある、請求項１に記載のプロテーゼデバイス。
【請求項１１】
前記上面の一部は、平面内に着座する、請求項１に記載のプロテーゼデバイス。
【請求項１２】
平面内に着座する前記上面の前記一部が、前記大腿骨面上の平面切込み部と合わさる、請求項１１に記載のプロテーゼデバイス。
【請求項１３】
平面内に着座する前記上面の前記一部が、前記大腿骨面上の平面切込み部と実質的に合わさる、請求項１１に記載のプロテーゼデバイス。
【請求項１４】
膝関節用プロテーゼデバイスであって、
湾曲側縁部が間にある頂部と下部とを有する大腿顆構成要素と、
前記デバイスの前記頂部に沿った滑車溝構成要素と
を含み、前記大腿顆構成要素の前記下部が、前記膝関節表面上の分界溝にて終端する
プロテーゼデバイス。
【請求項１５】
前記デバイスが、患者の軟骨欠陥部によって決まる厚みを有する、請求項１４に記載のプロテーゼデバイス。
【請求項１６】
前記デバイスが、患者の軟骨欠陥部の約８５％の厚みを有する、請求項１４に記載のプロテーゼデバイス。
【請求項１７】
前記デバイスが、患者の軟骨欠陥部の６５％と１００％の間の厚みを有する、請求項１４に記載のプロテーゼデバイス。
【請求項１８】
前記デバイスが、所定の偏位値を加えた患者の軟骨欠陥部の厚みを有する、請求項１４に記載のプロテーゼデバイス。
【請求項１９】
前記デバイスが、金属または金属合金を含む材料で構成される、請求項１４に記載のプロテーゼデバイス。
【請求項２０】
少なくとも１つの表面に装着用構造体を更に有する、請求項１４に記載のプロテーゼデバイス。
【請求項２１】
前記装着用構造体が、綾と、小杭と、ピンと、横材と、十字形ステムと、歯と、突出部とから選択される、請求項１４に記載のプロテーゼデバイス。
【請求項２２】
前記インプラントが、内側または外側のうちの一方の前記上面から延在するレールを更に含む、請求項１４に記載のプロテーゼデバイス。
【請求項２３】
前記インプラントが、前記上面から延在する竜骨を更に含み、前記竜骨が、前記内側および外側から陥凹した位置内にある、請求項１４に記載のプロテーゼデバイス。
【請求項２４】
前記上面の一部は、平面内に着座する、請求項１４に記載のプロテーゼデバイス。
【請求項２５】
平面内に着座する前記上面の前記一部が、前記大腿骨面上の平面切込み部と合わさる、請求項２４に記載のプロテーゼデバイス。
【請求項２６】
平面内に着座する前記上面の前記一部が、前記大腿骨面上の平面切込み部と実質的に合わさる、請求項２４に記載のプロテーゼデバイス。
【請求項２７】
大腿顆表面が、前記インプラントを受けるために準備される、請求項１４に記載のインプラント。
【請求項２８】
前記大腿顆表面が、前記インプラントの前記少なくとも１つの平面と合わさるために少なくとも１つの平面を形成することによって準備される、請求項２７に記載のインプラント。
【請求項２９】
大腿顆表面が、骨を除去することによって準備される、請求項１４に記載のインプラント。
【請求項３０】
前記顆表面が、軟骨を除去することによって準備される、請求項２９に記載のインプラント。
【請求項３１】
前記顆表面が、前記インプラントの前記少なくとも１つの平面と合わさるために少なくとも１つの平面を形成することによって準備される、請求項１４に記載のインプラント。
【請求項３２】
前記インプラントが、健康な関節の解剖学的形状を模倣する、請求項１４に記載のインプラント。
【請求項３３】
前記インプラントが、外科手術前の関節の解剖学的形状を模倣する、請求項１４に記載のインプラント。
【請求項３４】
前記インプラントが、目標とされた関節の解剖学的形状を模倣する、請求項１４に記載のインプラント。
【請求項３５】
前記インプラントが、靭帯均衡化を行うことなく外科手術中に関節腔内に配置される、請求項１４に記載のインプラント。
【請求項３６】
前記インプラントが、顆インプラントと膝蓋骨合わせインプラントとで構成されたシステムである、請求項１４に記載のインプラント。
【請求項３７】
１つの場所での前記インプラントの厚みが、外反変形と、内反変形と、平坦化のうちの少なくとも１つに対応するように調整される、請求項１４に記載のインプラント。
【請求項３８】
斜切縁部を更に有する、請求項１４に記載のインプラント。
【請求項３９】
面取り切断部を更に有する、請求項１４に記載のインプラント。
【請求項４０】
隅肉部を更に有する、請求項１４に記載のインプラント。
【請求項４１】
前記隅肉部が、脛骨棘後部の外部にある、請求項４０に記載のインプラント。
【請求項４２】
膝関節内の遠位大腿骨に適切な、上面と下面とを有するインプラントであって、前記上面が、脛骨大腿骨関節面の大腿骨面と連絡するように構成され、前記下面が、前記脛骨大腿骨関節面の脛骨面と連絡するように構成されるインプラント。
【請求項４３】
移植ステップの前に、骨切断が前記大腿骨の表面上で行われる、請求項４２に記載のインプラント。
【請求項４４】
前記骨切断が後部である、請求項４２に記載のインプラント。
【請求項４５】
前記インプラントが、大腿顆に沿った高い後部延長部を有する、請求項４４に記載のインプラント。
【請求項４６】
前記膝関節が、高度の膝湾曲を有する、請求項４５に記載のインプラント。
【請求項４７】
前記上面または下面のうちの一方の少なくとも一部が、合わさる関節表面の形状に実質的に適合する３次元形状を有する、請求項４２に記載のインプラント。
【請求項４８】
前記上面または下面のうちの一方の前記部分の長さが２ｃｍを上回る、請求項４２に記載のインプラント。
【請求項４９】
前記インプラントが、内側または外側のうちの一方の前記上面から延在するレールを更に含む、請求項４２に記載のインプラント。
【請求項５０】
前記インプラントが、前記上面から延在する竜骨を更に含み、前記竜骨が、前記内側および外側から陥凹した位置内にある、請求項４２に記載のインプラント。
【請求項５１】
前記上面の一部が、平面内に着座する、請求項４２に記載のインプラント。
【請求項５２】
平面内に着座する前記上面の前記一部が、前記大腿骨面上の平面切込み部と合わさる、請求項５１に記載のインプラント。
【請求項５３】
平面内に着座する前記上面の前記一部が、前記大腿骨面上の平面切込み部と実質的に合わさる、請求項４２に記載のインプラント。
【請求項５４】
装着用構造体を更に有し、前記装着用構造体が、綾と、小杭と、ピンと、横材と、十字形ステムと、歯と、突出部とから選択される、請求項４２に記載のインプラント。
【請求項５５】
膝関節用プロテーゼデバイスであって、
湾曲側縁部が間にある頂部と下部とを有する大腿顆構成要素と、
前記プロテーゼデバイスの前記頂部に沿った滑車溝構成要素と
を含み、
前記大腿顆構成要素の前記下部が、前記膝関節表面上の分界溝の前で終端する
プロテーゼデバイス。
【請求項５６】
膝関節用プロテーゼデバイスであって、
湾曲側縁部が間にある頂部と下部とを有する大腿顆構成要素と、
前記プロテーゼデバイスの前記頂部に沿った滑車溝構成要素と
を含み、
前記大腿顆構成要素の前記下部が、前記膝関節表面上の分界溝の近くで終端する
プロテーゼデバイス。
【請求項５７】
膝関節用プロテーゼデバイスであって、
湾曲側縁部が間にある頂部と下部とを有する大腿顆構成要素と、
前記デバイスの前記頂部に沿った滑車溝構成要素と
を含み、
前記大腿顆構成要素の前記下部が、前記膝関節表面上の分界溝を越えて終端する
プロテーゼデバイス。
【請求項５８】
膝関節用プロテーゼデバイスであって、
上面と、下面と、曲面が間に延在する頂部と下部とを有する大腿顆構成要素と、
前記プロテーゼデバイスの前記頂部に沿った滑車溝構成要素と
を含み、
前記大腿顆構成要素の前記下部が、分界溝の後に終端するプロテーゼデバイス。
【請求項５９】
本明細書中に記載の発明。